(57)【要約】【課題】帽子枠を所定の回動位置に位置決めして停止でき、その停止した状態から所定の回動力以上で回さないと回動しない帽子枠保持装置を提供することを目的とする。【解決手段】被刺繍物である帽子９１を帽子枠９０に装着するときに、該帽子枠９０を保持しておく帽子枠保持装置１０であって、基体部１５と、帽子枠保持部２５と、帽子枠保持部２５を回動可能に支持する支持機構２０と、帽子枠保持部２５を所定の回動位置に位置決めして停止させる位置決め停止機構４７とを備え、位置決め停止機構４７は、嵌合レバー４０と、嵌合ローラ４２と、嵌合凹部２４と、嵌合ローラ４２を付勢する嵌合バネ４４とを含んで構成され、帽子枠保持部２５を所定の回動力以上で回動させない限り、嵌合ローラ４２が嵌合凹部２４に嵌合した状態から離脱しないようにしたことを特徴とする。【選択図】図１
0003164651.tif 000002
【実用新案登録請求の範囲】
【請求項１】
被刺繍物である帽子（９１）を帽子枠（９０）に装着するときに、該帽子枠（９０）を保持しておく帽子枠保持装置（１０、５０、６０）であって、
基体部（１５）と、前記帽子枠（９０）を着脱可能に保持するための円環状の帽子枠保持部（２５、５７、６３）と、前記基体部（１５）に対して前記帽子枠保持部（２５、５７、６３）を回動可能に支持する支持機構（２０、６５）と、前記基体部（１５）に対して前記帽子枠保持部（２５、５７、６３）を所定の回動位置に位置決めして停止させる位置決め停止機構（４７）とを備え、
前記位置決め停止機構（４７）は、前記基体部（１５）に傾動可能に軸着された嵌合レバー（４０）と、前記嵌合レバー（４０）に回転可能に軸着された嵌合ローラ（４２）と、前記帽子枠保持部（２５、５７、６３）の所定箇所に設けられた、該帽子枠保持部（２５、５７、６３）が回動したときに前記嵌合ローラ（４２）が嵌合及び離脱可能な嵌合凹部（２４、５４、６９）と、前記嵌合レバー（４０）を介して前記嵌合ローラ（４２）を前記嵌合凹部（２４、５４、６９）に嵌合する方向に付勢する嵌合バネ（４４）とを含んで構成され、前記嵌合レバー（４０）を介した付勢の力により、前記帽子枠保持部（２５、５７、６３）を所定の回動力以上で回動させない限り、前記嵌合ローラ（４２）が前記嵌合凹部（２４、５４、６９）に嵌合した状態から離脱しないようにしたことを特徴とする帽子枠保持装置。
【請求項２】
前記帽子枠保持部（２５、５７、６３）の所定の回動力は、モーメントが１．５Ｎ・ｍである請求項１記載の帽子枠保持装置。
【請求項３】
前記嵌合凹部（２４、５４、６９）は、前記帽子枠保持部（２５、５７、６３）に設けられたフランジ状板部材（２８、５２、６７）の外周縁に切り欠かれた切欠状嵌合凹部である請求項１又は２記載の帽子枠保持装置。
【請求項４】
前記切欠状嵌合凹部（２４、５４、６９）は、中心角６０〜１６０度の円弧状に切り欠かれたものである請求項３記載の帽子枠保持装置。
【請求項５】
前記切欠状嵌合凹部（２４、５４、６９）は、内角６０〜１６０度のＶ字状に切り欠かれたものである請求項３記載の帽子枠保持装置。
【請求項６】
前記嵌合ローラ（４２）が切欠状嵌合凹部（２４、５４、６９）に嵌合したときに、前記嵌合ローラ（４２）の軸心が前記切欠状嵌合凹部（２４、５４、６９）外にあるようにした請求項４又は５記載の帽子枠保持装置。
【請求項７】
前記フランジ状板部材（２８、５２、６７）の外周縁から外側に突出した一対の嵌合凸部（２３、５３、６８）が、前記切欠状嵌合凹部（２４、５４、６９）の両端に形成されている請求項３〜６のいずれか一項に記載の帽子枠保持装置。
【請求項８】
前記嵌合ローラ（４２）は前記嵌合レバー（４０）の先端に設けられ、前記嵌合バネ（４４）は前記嵌合レバー（４０）の中間に連結されている請求項１〜７のいずれか一項に記載の帽子枠保持装置。
【請求項９】
前記嵌合凹部（２４、５４、６９）は、基準位置と基準位置から１８０度回動した位置との二箇所に前記帽子枠保持部（２５、５７、６３）を位置決めできるようにする一対の第一嵌合凹部（２４、６９）と、前記基準位置から右回り方向に９０度回動した位置と左回り方向に９０度回動した位置との二箇所に前記帽子枠保持部（５７）を位置決めできるようにする一対の第二嵌合凹部（５４）とからなり、
前記第二嵌合凹部（５４）は、前記フランジ状板部材（５２）の残部に対し着脱可能に設けられた一部（５６）に形成されている請求項１〜８のいずれか一項に記載の帽子枠保持装置。
【請求項１０】
前記支持機構（２０）は、前記帽子枠保持部（２５、５７）の回動中心に設けられた支持軸（１８）で前記帽子枠保持部（２５、５７）を支持している請求項１〜９のいずれか一項に記載の帽子枠保持装置。
【請求項１１】
前記支持機構（６５）は、前記帽子枠保持部（６３）の周方向に一周するように設けられたガイド溝（６４）に嵌合している複数のガイドローラ（６２）で前記帽子枠保持部（６３）を支持している請求項１〜９のいずれか一項に記載の帽子枠保持装置。
【考案の詳細な説明】
【技術分野】
【０００１】
本考案は、被刺繍物である帽子を帽子枠に装着するときに、帽子枠を保持しておく帽子枠保持装置に関するものである。
【背景技術】
【０００２】
従来、被刺繍物である帽子９１を帽子枠９０に装着するときに、帽子枠９０を保持しておく帽子枠保持装置８０としては、図１０に示すように、帽子枠９０を取り付ける帽子枠フレーム８２が基体部８１に回動不能に取り付けられたものが用いられていた。そのため、帽子の前後方向を垂直にして帽子枠に帽子を装着した後、帽子の刺繍部位を展張するためにクリップを装着しようとすると、クリップの装着部位である刺繍部位の反対側は下側になっていることから、クリップの取り付け作業は、姿勢を低くして覗き込むように行わなければならず、行いづらい作業となっていた。
【０００３】
帽子枠を回動可能に支持する帽子枠保持装置として、特許文献１、２に記載のものが提案されている。
【先行技術文献】
【特許文献】
【０００４】
【特許文献１】特開平１１−２１７５７号公報
【特許文献２】特許第３５８３２００号公報
【考案の概要】
【考案が解決しようとする課題】
【０００５】
しかし、特許文献１に記載のものは、位置決めにボールプランジャーを使用していることから、固定力に乏しい上に、回転の機構にＲ溝を使用していることから、帽子枠を３６０度回転することができず、帽子の後側が真上を向く位置まで帽子枠を回動することができなかった。
また、特許文献２に記載のものは、帽子枠を回動させようとする度に、帽子枠が回動しないように係合孔に係合させているロック軸を操作（挿脱）しなくてはならず、面倒であった。
【０００６】
そこで、本考案は、帽子枠を所定の回動位置に位置決めして停止でき、その停止した状態から所定の回動力以上で回さないと回動しない帽子枠保持装置を提供することを目的とする。
【課題を解決するための手段】
【０００７】
上記課題を解決するため、本考案の帽子枠保持装置は、被刺繍物である帽子を帽子枠に装着するときに、該帽子枠を保持しておく帽子枠保持装置であって、基体部と、帽子枠を着脱可能に保持するための円環状の帽子枠保持部と、基体部に対して帽子枠保持部を回動可能に支持する支持機構と、基体部に対して帽子枠保持部を所定の回動位置に位置決めして停止させる位置決め停止機構とを備え、前記位置決め停止機構は、前記基体部に傾動可能に軸着された嵌合レバーと、前記嵌合レバーに回転可能に軸着された嵌合ローラと、前記帽子枠保持部の所定箇所に設けられた、該帽子枠保持部が回動したときに前記嵌合ローラが嵌合及び離脱可能な嵌合凹部と、前記嵌合レバーを介して前記嵌合ローラを前記嵌合凹部に嵌合する方向に付勢する嵌合バネとを含んで構成され、前記嵌合レバーを介した付勢の力により、前記帽子枠保持部を所定の回動力以上で回動させない限り、前記嵌合ローラが前記嵌合凹部に嵌合した状態から離脱しないようにしたことを特徴とする。
【０００８】
帽子枠保持部の所定の回動力は、特に限定はされないが、モーメントが１．５Ｎ・ｍ以上であることが好ましい。モーメントが１．５Ｎ・ｍ以上であることにより、帽子枠に帽子を装着するとき等に、帽子枠保持部が不意に回動することなく帽子枠に帽子を装着することができる。また、このモーメントの上限は、特に限定はされないが、３Ｎ・ｍであることが好ましい。３Ｎ・ｍを超えていると、嵌合ローラが嵌合凹部に嵌合した状態から離脱し難くなり、帽子枠保持部を回動させることが難しくなる。
【０００９】
嵌合レバーの態様としては、特に限定はされないが、嵌合ローラが先端に設けられ、嵌合バネが中間に連結されている態様等が例示できる。
【００１０】
嵌合凹部の態様としては、特に限定はされないが、帽子枠保持部に設けられたフランジ状板部材の外周縁に切り欠かれた切欠状嵌合凹部である態様等が例示できる。
また、帽子枠保持部の回動を９０度毎の位置決めと１８０度毎の位置決めとに容易に変更できることから、嵌合凹部は、基準位置と基準位置から１８０度回動した位置との二箇所に帽子枠保持部を位置決めできるようにする一対の第一嵌合凹部と、基準位置から右回り方向に９０度回動した位置と左回り方向に９０度回動した位置との二箇所に帽子枠保持部を位置決めできるようにする一対の第二嵌合凹部とからなり、第二嵌合凹部は、フランジ状板部材の残部に対し着脱可能に設けられた一部に形成されていることが好ましい。
切欠状嵌合凹部としては、特に限定はされないが、中心角６０〜１６０度の円弧状に切り欠かれたものや、内角６０〜１６０度のＶ字状に切り欠かれたもの等が例示できる。中心角が６０度未満のもの又は内角が１６０度を超えるものは嵌合ローラの嵌合が弱く、中心角が１６０度を超えるもの又は内角が６０度未満のものは嵌合ローラが離脱し難い。より好ましくは、中心角又は内角が７５〜１２０度のものである。また、フランジ状板部材の外周縁から外側に突出した一対の嵌合凸部が、切欠状嵌合凹部の両端に形成されていることが好ましい。これは、切欠状嵌合凹部の両端に嵌合凸部が形成されることで、切欠状嵌合凹部から嵌合ローラが離脱し難くなり、帽子枠保持部を位置決め位置からずれ難くしつつ、帽子枠保持部の回動時の嵌合ローラの摺接による抵抗を小さくすることができるからである。
【００１１】
嵌合ローラの態様としては、特に限定はされないが、切欠状嵌合凹部から離脱し易くなることから、切欠状嵌合凹部に嵌合したときに、軸心が切欠状嵌合凹部外になるような態様であることが好ましい。
【００１２】
支持機構の態様としては、特に限定はされないが、帽子枠保持部の回動中心に設けられた支持軸で帽子枠保持部を回動可能に支持する態様や、帽子枠の周方向に一周するように設けられたガイド溝に嵌合している複数のガイドローラで帽子枠保持部を回動可能に支持する態様等が例示できる。
【考案の効果】
【００１３】
本考案によれば、帽子枠を所定の回動位置に位置決めして停止でき、その停止した状態から所定の回動力以上で回さないと回動しない帽子枠保持装置を提供することができる。
【図面の簡単な説明】
【００１４】
【図１】実施例１の帽子枠保持装置の斜視図である。
【図２】同帽子枠保持装置の支持機構の正面図及び側面図である。
【図３】同帽子枠保持装置の帽子枠保持部の正面図及び側面図である。
【図４】同帽子枠保持装置の指針板付近の側面図である。
【図５】同帽子枠保持装置の位置決め機構の正面図である。
【図６】同帽子枠保持装置を用いた帽子枠への帽子の装着作業の説明図である。
【図７】実施例２の帽子枠保持装置の帽子枠保持部の正面図である。
【図８】実施例３の帽子枠保持装置の支持機構の正面図及びリングの一部を破断した側面図である。
【図９】同帽子枠保持装置の帽子枠保持部の正面図である。
【図１０】従来の帽子枠保持装置の斜視図である。
【考案を実施するための形態】
【実施例１】
【００１５】
本考案の第一の実施例である帽子枠保持装置１０について図１〜図６を用いて説明する。
【００１６】
帽子枠保持装置１０は、机等の天板９５の端部に取り付けるための取付部１１と、取付部１１の前面に設けられ、平板状の基体部１５と、基体部１５の前方に設けられ、帽子枠９０を着脱可能に保持するための円環状の帽子枠保持部２５と、基体部１５に対して帽子枠保持部２５を回動可能に支持する支持機構２０と、基体部１５に対して帽子枠保持部２５を所定の回動位置に位置決めして停止させる位置決め停止機構４７と、基体部１５の上方に設けられ、帽子９１を帽子枠９０に装着するときに左右方向の真中の位置を示す指針板３５とを備えている。
【００１７】
取付部１１は、断面略コ字状のブラケットベース１２と、ブラケットベース１２との間で天板９５を挟持するテーブル当接板１３と、テーブル当接板１３を上下させるテーブル固定ネジ（図示されていない）とを備えている。ブラケットベース１２とテーブル当接板１３とで天板９５を挟持することで、帽子枠保持装置１０は、天板９５の端部に固定されている。
【００１８】
基体部１５は、垂直方向に平行に延びる二本のネジ溝１６にそれぞれ挿通されている二本の止ネジ１７によって、ブラケットベース１２の前面に取着されている。基体部１５は、止ネジ１７を緩めることにより、ネジ溝１６に沿って上下方向に移動可能となり、止ネジ１７を締めることにより、上下方向の移動が不能となることで、天板９５に対して、任意の高さに固定することができる。
【００１９】
帽子枠保持部２５は、帽子枠９０の内径より若干小さい外径の略円環状の帽子枠フレーム２６と、帽子枠フレーム２６の内周に沿い一部が切れている略円筒状のドラム２７と、帽子枠フレーム２６の後端に形成されたフランジ状の平板であるフレームフランジ２８とからなる。
【００２０】
帽子枠フレーム２６は、前後方向の略中間の同じ周上に、帽子枠９０を保持するための二つの保持部２９が外周に沿うように突設されている。二つの保持部２９の略中間の帽子枠フレーム２６の外周上には、帽子枠９０に帽子９１を装着したときに、帽子９１の庇９２が当接する庇受３０が突設されている。各保持部２９は、帽子枠９０を装着したときに、帽子枠９０の後端が当接する受板３１と、受板３１に軸支され、ねじりコイルバネである保持バネ３２によって付勢され、先端が帽子枠９０に係合して帽子枠９０を保持する保持レバー３３とを備えている。保持レバー３３は保持バネ３２による付勢力に抗する方向に押圧されることにより、帽子枠９０との係合が外れ、帽子枠９０を帽子枠保持部２５から外せるようになっている。
【００２１】
ドラム２７は、後端部が帽子枠フレーム２６の内側に取着され、前端が帽子枠フレーム２６より前方に突出している。
【００２２】
フレームフランジ２８は、後面に固着した略円板状の回転盤２１を備えている。
【００２３】
支持機構２０は、基体部１５の前面に固着され、ブッシュ３９を介して回転盤２１を回動可能に支持する略円柱状の支持軸１８と、基体部１５の前面に突設された三つのローラベース１９にそれぞれ回転可能に軸支され、支持軸１８を中心とする同じ円周上に略等間隔に設けられている三つの支持ローラ２２とを備えている。三つの支持ローラ２２が回転盤２１の後面に当接することで、回転盤２１は基体部１５に対し略平行に回動できるようになっている。また、支持軸１８の先端に螺着したボルト１４により、回転盤２１は支持軸１８から離脱しないようになっている。
【００２４】
指針板３５は、基体部１５の後面に取着し、上方へと延びる略矩形状の蝶番プレート３６に、蝶番３７を介して取り付けられ、ドラム２７の前端の近くにまで先端がくるように前方へと延びている。また、先端付近にスリット３８が形成されると共に、先端は尖っている。指針板３５は、蝶番３７を介して蝶番プレート３６に取着されていることから、図４に示すように、蝶番３７を回動することにより、基体部１５の後方へと移動することができる。
【００２５】
位置決め停止機構４７は、長さ方向の中間部で折れ曲がったクランク状をし、レバーネジ４１によって基端が基体部１５に傾動可能に軸着されている嵌合レバー４０と、嵌合レバー４０の先端にローラネジ４３によって回転可能に軸着されている嵌合ローラ４２と、回転盤２１の外周縁の点対称の二箇所を、嵌合ローラ４２と略同じ曲率で中心角が約９０度の円弧状に切り欠いた二つの第一嵌合凹部２４と、一端が嵌合レバー４０の長さ方向の中間部に連結され、嵌合レバー４０を介して嵌合ローラ４２を第一嵌合凹部２４に嵌合する方向に付勢する嵌合バネ４４と、基体部１５の前面から突出し、嵌合レバー４０の側方に設けられた制限ピン４６とを備えている。第一嵌合凹部２４の両端には、回転盤２１の外周縁より外側に突出した一対の第一嵌合凸部２３が形成され、回転盤２１の他部から第一嵌合凸部２３を通り第一嵌合凹部２４へと繋がる回転盤２１の外周は、連続した曲面になっている。嵌合バネ４４の他端は、基体部１５の前面に突設された止ピン４５に掛止されている。制限ピン４６は、嵌合バネ４４の付勢力により嵌合レバー４０が傾動する範囲を制限している。なお、第一嵌合凹部２４は、円弧状ではなく、Ｖ字状の切欠であってもよい。
【００２６】
ここで、位置決め停止機構４７による帽子枠保持部２５の位置決めと、その解除について図５を用いて説明する。
【００２７】
第一嵌合凹部２４と嵌合ローラ４２とは、略同じ曲率であることから、図５のａに示すように、第一嵌合凹部２４に嵌合ローラ４２が嵌合している状態で、回転盤２１を回動しようとすると、回転盤２１の回動に伴い第一嵌合凹部２４も回転盤２１の回動方向に回動しようとする。しかし、嵌合ローラ４２は、嵌合レバー４０に軸着されていることから、第一嵌合凹部２４と共に回動することができない。そのため、嵌合ローラ４２は、第一嵌合凹部２４の回動により、第一嵌合凹部２４の曲面に押圧される。嵌合ローラ４２が押圧されることで、嵌合レバー４０は傾動しようとする。ところが、嵌合レバー４０は、嵌合バネ４４によって、嵌合ローラ４２が第一嵌合凹部２４に嵌合する方向に付勢されていることから、この付勢力よりも第一嵌合凹部２４による押圧力が小さい、即ち、回転盤２１の回動力が小さいときには、第一嵌合凹部２４と嵌合ローラ４２との嵌合を外すことができず、第一嵌合凹部２４から嵌合ローラ４２が離脱しない。そのため、回転盤２１は、第一嵌合凹部２４に嵌合ローラ４２が嵌合する回動位置で位置決めされたまま停止している。即ち、帽子枠保持部２５は位置決めされたまま停止している。
【００２８】
一方、嵌合レバー４０への嵌合バネ４４の付勢力よりも、第一嵌合凹部２４による嵌合ローラ４２の押圧力が大きい、即ち、回転盤２１の回動力が大きいときには、回転盤２１を回動することで、図５のｂに示すように、嵌合バネ４４の付勢力に抗して、嵌合レバー４０が傾動し、第一嵌合凹部２４と嵌合ローラ４２との嵌合が外れ、第一嵌合凹部２４から嵌合ローラ４２が離脱し、回転盤２１が回動する。即ち、帽子枠保持部２５は回動する。
【００２９】
次に、帽子枠保持装置１０を用いて、帽子枠９０に帽子９１を装着する作業について図６を用いて説明する。
【００３０】
まず、図６のａに示すように、帽子枠保持装置１０に帽子枠９０を取り付ける。具体的には、一方の第一嵌合凹部２４に嵌合ローラ４２が嵌合することで、帽子枠保持部２５が位置決めされて停止している帽子枠保持装置１０に、後端が保持部２９の受板３１に当接するように帽子枠９０を帽子枠フレーム２６に外嵌させる。そして、この状態で帽子枠フレーム２６が帽子枠９０を保持するよう、二つの保持部２９の保持レバー３３を帽子枠９０に当接させる。
【００３１】
帽子枠保持装置１０に帽子枠９０を取り付けた後、刺繍時に帽子９１が型崩れしないよう、帽子９１を内側から支えるバイリン紙をドラム２７に沿わせるようにして、帽子枠９０に取り付ける。
【００３２】
バイリン紙を取り付けた後、図６のｂに示すように、庇９２を上方に向けた状態で、被刺繍物である帽子９１を、バイリン紙を内包するようにして、帽子枠９０に被せる。そして、帽子枠９０の固定ベルト９６を帽子９１に巻き付けて帽子枠９０に帽子９１を装着する。
【００３３】
帽子枠９０に帽子９１を装着した後、帽子９１の後部をクリップ９７で帽子枠９０に留めるため、帽子９１が装着された帽子枠９０と共に帽子枠保持部２５を１８０度回動させて、図６のｃに示すように、帽子９１の後部が上方を向く位置に帽子枠保持部２５を位置決めして止める。具体的には、帽子枠保持部２５が、例えば、右回り方向（左回り方向でもよい）に回転するよう、第一嵌合凹部２４から嵌合ローラ４２が離間する以上の回動方向の力（回動力）を回転盤２１に加え、一方の第一嵌合凹部２４と嵌合ローラ４２との嵌合を外し、帽子枠保持部２５を回動させる。そして、１８０度回動させて、他方の第一嵌合凹部２４に嵌合ローラ４２が嵌合したところで回動を止め、その位置で帽子枠保持部２５を位置決めして停止させる。
【００３４】
その後、図６のｄに示すように、上方を向いている帽子９１の後部をクリップ９７で帽子枠９０に留める。これで、帽子枠９０への帽子９１の装着が終わることから、保持レバー３３を押圧して、保持部２９による帽子枠９０の保持を外し、帽子枠９０を帽子枠保持装置１０から外す。
【００３５】
本実施例の帽子枠保持装置１０によれば、次の（ａ）〜（ｃ）の効果が得られた。
（ａ）帽子枠保持部２５が回動することから、帽子枠保持部２５に保持されている帽子枠９０を回動することができた。
（ｂ）帽子枠９０に帽子９１を装着したときに、帽子９１の庇９２が上方を向く位置と、１８０度回動して下方を向く位置との二つの回動位置に、帽子枠保持部２５を位置決めして停止でき、且つこの停止した状態から所定の回動力（モーメントが約１．５Ｎ・ｍ）以上で回動させないと帽子枠保持部２５が位置決め位置から回動しないことから、帽子枠９０への帽子９１の装着（特に、クリップ９７により帽子の後部を帽子枠９０に留める作業）を容易に行うことができた。
（ｃ）帽子枠保持部２５を所定の回動力以上で回動することで、位置決め停止機構４７による帽子枠保持部２５の位置決めを外すことができ、帽子枠保持部２５を回動できることから、帽子枠９０への帽子９１の装着を容易に行うことができた。
【実施例２】
【００３６】
本考案の第２の実施例である帽子枠保持装置５０について図７を用いて説明する。
この帽子枠保持装置５０は、帽子枠保持部５７として、回転盤２１の第一嵌合凹部２４とは別に、帽子枠フレーム５１のフレームフランジ５２の二箇所に、第二嵌合凹部５４が設けられているものを用いた点が帽子枠保持装置１０と異なり、その他については、帽子枠保持装置１０と同じである。なお、帽子枠保持装置１０と同じ部材には、同じ符号を付している。
【００３７】
具体的には、フレームフランジ５２の外周縁より外側に突出した一対の第二嵌合凸部５３と、一対の第二嵌合凸部５３の間を、嵌合ローラ４２と同じ曲率で中心角が約９０度の円弧状に切り欠いた第二嵌合凹部５４とを備えた平板状の二つの嵌合片５６が、フレームフランジ５２の前面にネジ５５により着脱可能に螺着されている。二つの嵌合片５６が設けられているところは、フレームフランジ５２の外周縁の点対称の位置であり、且つ二つの第一嵌合凹部２４の略中間に位置するフレームフランジ５２の二箇所である。正面視でフレームフランジ５２の外周から第二嵌合凸部５３を通り第二嵌合凹部５４へと繋がる外縁は、連続した曲線になっている。第二嵌合凹部５４は、第一嵌合凹部２４と同じ形状の円弧状であることから、嵌合ローラ４２は第一嵌合凹部２４と同じように第二嵌合凹部５４にも嵌合することができる。また、第二嵌合凹部５４に嵌合した嵌合ローラ４２は、第一嵌合凹部２４との嵌合を外すときの帽子枠保持部５７の回動力と略同じ大きさの回動力で、第二嵌合凹部５４との嵌合を外すことができる。
【００３８】
本実施例の帽子枠保持装置５０によれば、帽子枠保持装置１０で得られる（ａ）〜（ｃ）の効果に加え、次の（ｄ）、（ｅ）の効果が得られた。
（ｄ）第二嵌合凹部５４がフレームフランジ５２の外周縁の二つの第一嵌合凹部２４の略中間の位置に設けられていることから、帽子枠９０に帽子９１を装着したときに、帽子９１の庇９２が上方を向く位置から右回り方向及び左回り方向のいずれにも９０度回動した回動位置にも、帽子枠保持部５７を位置決めして停止でき、帽子９１の側面の張り具合の確認・修正等のように、帽子９１の側方を上に向けて行う作業を容易に行うことができた。
（ｅ）嵌合片５６は、帽子枠フレーム５１から容易に着脱できることから、帽子９１の側方を上に向けて行う作業がない場合には、嵌合片５６を外すことで、不要な位置決めによる帽子枠保持部５７の回動の停止をなくすことができた。また、帽子９１の側方を上に向けて行う作業がある場合には、嵌合片５６を取着することで、容易に行うことができた。
【実施例３】
【００３９】
本考案の第３の実施例である帽子枠保持装置６０について図８、図９を用いて説明する。
この帽子枠保持装置６０は、帽子枠保持部６３を回動可能に支持する支持機構６５が異なる点と、帽子枠フレーム６６のフレームフランジ６７に第一嵌合凹部６９が形成されている点が帽子枠保持装置１０と異なり、その他については、帽子枠保持装置１０と同じである。なお、帽子枠保持装置１０と同じ部材には、同じ符号を付している。
【００４０】
支持機構６５は、回転盤２１の替わりにフレームフランジ６７の後面に固着された円環状のリング６１の内周面に一周に亘って凹設されたガイド溝６４と、ガイド溝６４に嵌合し、基体部１５の前面の同じ円周上に略等間隔に回動可能に軸支された三個のガイドローラ６２とからなる。三個のガイドローラ６２がガイド溝６４に嵌合していることから、リング６１は三個のガイドローラ６２により回動可能に支持されている。また、三個のガイドローラ６２の中心５９を通り基体部１５に直交する線がリング６１の回動の中心軸となっている。
【００４１】
フレームフランジ６７には、外周縁の点対称となる二箇所（正面視において、帽子枠保持装置１０の第一嵌合凹部２４と同じ位置）に、嵌合ローラ４２と同じ曲率で中心角が約９０度の円弧状に切り欠かれた第一嵌合凹部６９が形成されている。それぞれの第一嵌合凹部６９の両端には、外周縁の他部より外側に突出した一対の第一嵌合凸部６８が形成されている。フレームフランジ６７の他部から第一嵌合凸部６８を通り第一嵌合凹部６９へと繋がるフレームフランジ６７の外周は、連続した曲面になっている。この第一嵌合凹部６９は帽子枠保持装置１０の第一嵌合凹部２４と同じ形状の円弧状であることから、嵌合ローラ４２は帽子枠保持装置１０の第一嵌合凹部２４と同じように帽子枠保持装置６０の第一嵌合凹部６９にも嵌合することができる。また、この第一嵌合凹部６９に嵌合した嵌合ローラ４２は、帽子枠保持装置１０の第一嵌合凹部２４との嵌合を外すときの帽子枠保持部２５の回動力と略同じ大きさの帽子枠保持部６３の回動力で、この第一嵌合凹部６９との嵌合を外すことができる。
【００４２】
本実施例の帽子枠保持装置６０によれば、帽子枠保持装置１０で得られる全ての効果を得ることができた。
【００４３】
なお、本考案は前記実施例に限定されるものではなく、考案の趣旨から逸脱しない範囲で適宜変更して具体化することもできる。
【符号の説明】
【００４４】
１０    帽子枠保持装置
１５    基体部
１８    支持軸
２０    支持機構
２１    回転盤
２３    第一嵌合凸部
２４    第一嵌合凹部
２５    帽子枠保持部
２８    フレームフランジ
４０    嵌合レバー
４２    嵌合ローラ
４４    嵌合バネ
４７    位置決め停止機構
５０    帽子枠保持装置（実施例２）
５２    フレームフランジ（実施例２）
５３    第二嵌合凸部
５４    第二嵌合凹部
５６    嵌合片
５７    帽子枠保持部（実施例２）
６０    帽子枠保持装置（実施例３）
６２    ガイドローラ
６３    帽子枠保持部（実施例３）
６４    ガイド溝
６５    支持機構（実施例３）
６７    フレームフランジ（実施例３）
６８    第一嵌合凸部（実施例３）
６９    第一嵌合凹部（実施例３）
９０    帽子枠
９１    帽子
【図１】
0003164651.tif 000003
【図２】
0003164651.tif 000004
【図３】
0003164651.tif 000005
【図４】
0003164651.tif 000006
【図５】
0003164651.tif 000007
【図６】
0003164651.tif 000008
【図７】
0003164651.tif 000009
【図８】
0003164651.tif 000010
【図９】
0003164651.tif 000011
【図１０】
0003164651.tif 000012